(57)【要約】【課題】効率よく暖気を外部に逃がさないようにし、保温用シートをより容易な構造で開閉できるこたつ用椅子を実現する。【解決手段】こたつ用椅子（１）は、座部（２）と、座部を支持する脚部（３）と、一端が座部の下面側に固定されたシート状体（４）と、左右の脚部間に、座部の下面側より鉛直方向の下側に設けられた、シート状体の他端を固定する固定部材（５ｂ）とを備え、シート状体（４）の一部は固定部材および座部の下面に着脱可能である。【選択図】図１
2019047926.tif 000002
【特許請求の範囲】
【請求項１】
座部と、
前記座部を支持する複数の脚部と、
一端が前記座部の下面側に固定されたシート状体と、
左右の前記脚部間に、前記座部の下面側より鉛直方向の下側に設けられた、前記シート状体の他端を固定する固定部材と、
を備え、
前記シート状体の一部は、前記固定部材に着脱可能であり、
前記シート状体の一部が、前記座部の下面に着脱可能となっているものであることを特徴とするこたつ用椅子。
【請求項２】
前記固定部材は、前記座部の前面よりも後方の位置に設けられることを特徴とする請求項１に記載のこたつ用椅子。
【請求項３】
前記座部は、複数の高さに調節可能であり、
前記シート状体の長さは、前記座部が最も高い位置にある場合に、前記シート状体の一部が前記固定部材に固定可能なように調整されることを特徴とする請求項１または２に記載のこたつ用椅子。
【請求項４】
左右の前記脚部の底部に、それぞれ設けられた複数のキャスタをさらに備え、
前記キャスタは、人が当該こたつ用椅子に座っていない場合、当該キャスタの車輪が前記脚部の底部から出た状態になり、人が当該こたつ用椅子に座っている場合、当該キャスタの車輪が前記脚部の底部に入り込んだ状態になることを特徴とする請求項１から３のいずれか１項に記載のこたつ用椅子。
【発明の詳細な説明】
【技術分野】
【０００１】
本発明は、こたつ用椅子に関する。
【背景技術】
【０００２】
こたつ用の椅子として、特許文献１〜３に記載されたものが従来技術として知られている。
【先行技術文献】
【特許文献】
【０００３】
【特許文献１】特開２００６−６１２１０号公報（２００６年３月９日公開）
【特許文献２】特開２００９−１１８９０５号公報（２００９年６月４日公開）
【特許文献３】登録実用新案３１６０９７９号公報（２０１０年７月１５日発行）
【発明の概要】
【発明が解決しようとする課題】
【０００４】
特許文献１〜３に記載のこたつ用の椅子は、椅子の脚部間を布や板で閉塞することにより、座部の下側から暖気が外部に逃げないようになっている。しかしながら、特許文献１の椅子は、シャッター状部材を用いるので、構造が複雑である。特許文献２の椅子は、座部の下方において、前方が開放部によって開口し、残りの三方が閉塞シートで囲まれた空間部が形成されるので、閉塞シートが多く、また、閉塞シートを取り外すことができない。特許文献３の椅子は、後側の閉塞板、および、左右の暖気逃げ防止板を用い、また、それぞれを開閉するための機構が必要であるので、構造が複雑である。
【０００５】
本発明は、上記の問題点に鑑みてなされたものであり、その目的は、効率よく暖気を外部に逃がさないようにするとともに、保温用のシートをより容易な構造で開閉できるこたつ用椅子を実現することにある。
【課題を解決するための手段】
【０００６】
上記の課題を解決するために、本発明の一態様に係るこたつ用椅子は、座部と、前記座部を支持する複数の脚部と、一端が前記座部の下面側に固定されたシート状体と、左右の前記脚部間に、前記座部の下面側より鉛直方向の下側に設けられた、前記シート状体の他端を固定する固定部材と、を備え、前記シート状体の一部は、前記固定部材に着脱可能であり、前記シート状体の一部が、前記座部の下面に着脱可能となっているものであることを特徴としている。
【発明の効果】
【０００７】
本発明の一態様によれば、こたつ用椅子において、効率よく暖気を外部に逃がさないようにするとともに、保温用のシートをより容易な構造で開閉できるという効果を奏する。
【図面の簡単な説明】
【０００８】
【図１】本発明の一実施形態に係る、シート状体を垂直に設けたこたつ用椅子の概略を示す斜視図である。
【図２】本発明の一実施形態に係る、シート状体を垂直に設けたこたつ用椅子の概略を示す斜視図である。
【図３】本発明の一実施形態に係る、シート状体を座部の裏面に着設したこたつ用椅子の概略を示す斜視図である。
【図４】本発明の一実施形態に係る、シート状体を座部の裏面に着設したこたつ用椅子の概略を示す斜視図である。
【発明を実施するための形態】
【０００９】
以下、本発明の実施形態について、図１〜４を参照して詳細に説明する。図１は、本発明の一実施形態に係る、シート状体を垂直に設けたこたつ用椅子の概略を示す斜視図であり、図２は、本発明の一実施形態に係る、シート状体を垂直に設けたこたつ用椅子の概略を示す斜視図であり、図３は、本発明の一実施形態に係る、シート状体を座部の裏面に着設したこたつ用椅子の概略を示す斜視図であり、図４は、本発明の一実施形態に係る、シート状体を座部の裏面に着設したこたつ用椅子の概略を示す斜視図である。
【００１０】
（シート状体を垂直に設けたこたつ用椅子）
図１に示すように、こたつ用椅子１は、座部２と、座部２を支持する複数の脚部３と、一端が座部２の下面側に固定されたシート状体４と、左右の脚部３間に、座部２の下面側より鉛直方向の下側に設けられた、シート状体４の他端を固定する固定部材５ｂと、を備えている。シート状体４の一部は、固定部材５ｂに着脱可能である。なお、ここでいう鉛直方向とは、人が座れるようにこたつ用椅子１を置いた状態を基準にする。また、こたつ用椅子１は、背もたれ部７を備えてもよい。また、シート状体４の一端は、座部２の下面に固定されていてもよいし、座部２の下面側に位置する固定部材５ａに固定されていてもよい。
【００１１】
こたつ用椅子１は、テーブルに布団、シート等を掛けて、テーブル下を温めるこたつ用の椅子として好適であるが、布団、シート等を外した通常のテーブル用の通常の椅子としても使用可能である。背もたれ部７は、座部２の後部上から延伸するように設けられており、板状体上にクッションを設けたものや、枠にクッションが嵌め込まれたものであってもよい。
【００１２】
座部２は、使用者が着座する部分であり、板状体上にクッションを設けたものであってもよい。なお、座部２において、着座する人が着座する面を上面、上面と向かい合う下側の面を下面とする。
【００１３】
脚部３は、固定部材５ａ、６を介して、座部２を支持する。こたつ用椅子１は、脚部３を左右に２つ備えている。脚部３は、上部材３１、下部材３２、前部材３３、および、後部材３４からなる枠状体である。上部材３１、下部材３２、前部材３３、および、後部材３４は、それぞれ角材である。上部材３１は、肘掛部として機能する。
【００１４】
図２に示すように、固定部材５ａは、左右の前部材３３間に横設され、固定部材５ａの両端は、前部材３３の略中央の内側に固定される。固定部材５ｂは、左右の下部材３２間に横設され、固定部材５ｂの両端は、下部材３２の前端の内側に固定される。固定部材６は、左右の後部材３４間に横設され、固定部材６の両端は、後部材３４の略中央の内側に固定される。
【００１５】
固定部材５ａ、６は、座部２を支持する。固定部材５ｂは、少なくとも、座部２の前面よりも後方の位置に設けられる。固定部材５ａ、５ｂは、シート状体４の両端を固定する。なお、固定部材５ａが座部２の前面よりも後方の位置に設けられ、さらに固定部材５ｂが固定部材５ａよりも後方の位置に設けられてもよい。また、シート状体４の一端が座部２の下面に固定される場合、当該固定箇所が座部２の前面よりも後方の位置にあり、さらに固定部材５ｂが当該固定箇所よりも後方の位置にあってもよい。
【００１６】
シート状体４は、例えば、布帛、合皮、本皮、及び合成樹脂などの屈曲性を有する部材で構成される。シート状体４の裏面の周囲に、面テープ４１が貼設される。
【００１７】
シート状体４の一端は、ホッチキス、マジックテープ（登録商標）等により、固定部材５ａの、座部２に接する面に固定される。シート状体４の他端は、図２に示すように、シート状体４の周囲に貼設された面テープを、固定部材５ｂを挟んだ状態で合わせることにより、固定部材５ｂに固定される。
【００１８】
なお、シート状体４の一端は、ホッチキス、マジックテープ（登録商標）等により、座部２の下面に直接固定されてもよい。この場合、シート状体４の一端は、固定部材５ａの近傍に固定されてもよい。
【００１９】
図２に示すように、前部材３３には、穴３３１が４つ設けられる。固定部材５ａは、４つの穴３３１のうち、隣接する２つの穴に貫設された２つのネジによって前部材３３に固定される。また、後部材３４には、穴３４１が４つ設けられる。固定部材６は、４つの穴３４１のうち、隣接する２つの穴に貫設された２つのネジによって後部材３４に固定される。従って、固定部材５ａ、６は、３段階の高さに調節可能である。すなわち、座部２は、３段階の高さに調節可能である。
【００２０】
座部２が３段階の高さに調節され、それぞれの高さに応じて、シート状体４は固定部材５ａおよび固定部材５ｂを用いて固定される。例えば、シート状体４の長さは、座部２が最も高い位置にある場合に、シート状体４の一部が固定部材５ｂに固定可能なように調整される。これにより、座部２が最も高い位置以外の位置にある場合にも、シート状体４の一部が固定部材５ｂに固定可能になる。
【００２１】
シート状体４は、座部２の下側において略垂直に固定されることにより、左右の脚部３間を閉塞する。したがって、シート状体４が垂直に設けられたこたつ用椅子１を使用すれば、こたつからの暖気が座部２の下側から外に逃げるのを防ぐことができる。また、固定部材５ｂは、座部２の前面よりも後方の位置に設けられることにより、座部２の下側に、着座している人が足を座部２の内側に向けて自由に動かすことができるスペースが存在する。これにより、こたつ用椅子１は、着座している人の立ち座りを容易にすることができる。
【００２２】
左右の下部材３２の、床に接する底部（脚部の底部）には、それぞれ２つの（複数の）キャスタ８が設けられる。人がこたつ用椅子１に座っていない場合、キャスタ８の車輪が下部材３２の底部から出た状態になる。したがって、こたつ用椅子１を容易に移動することができる。一方、人がこたつ用椅子１に座っている場合、キャスタ８の車輪が下部材３２の底部に入り込んだ状態になる。したがって、こたつ用椅子１が移動し難いので、こたつ用椅子１を安定した状態にすることができる。
【００２３】
（シート状体を座部の裏面に着設したこたつ用椅子）
こたつ用椅子１は、シート状体４の一部が、座部２の下面に着脱可能となっているものである。座部２の裏面に着脱可能なシート状体４の一部は、鉛直下側の固定部材５ｂに着脱可能なシート状体４の一部と同じ箇所であってもよいし、異なる箇所であってもよい。座部２の裏面には、シート状体４の面テープ４１が着設可能な生地が施されている。既に説明したように、シート状体４の裏面の周囲には、面テープ４１が貼設される。
【００２４】
図４に示すように、シート状体４は、座部２の裏面に着設される。
【００２５】
シート状体４は、座部２の裏面に着設されることにより、左右の脚部３間を開放する。したがって、シート状体４が座部２の裏面に着設したこたつ用椅子１を使用すれば、脚部３間の通気を確保ことができる。そして、シート状体４は、脚部３の下部材３２よりも上方の位置に設けられることにより、座部２の下側に、着座している人が足を座部２の内側に向けて自由に動かすことができるスペースが存在する。これにより、こたつ用椅子１は、着座している人の立ち座りを容易にすることができる。
【００２６】
なお、図１に示すように、シート状体４は、座部２が３段階の高さに調節され、それぞれの高さに応じて固定部材５ａおよび固定部材５ｂを用いて固定される程度の長さを有する。また、図４に示すように、シート状体４は、座部２の下面に着設された場合に、座部２の下面の前後方向の長さを超えない長さを有する。
【００２７】
特許文献１〜３のこたつ用の椅子は、暖気の逃げを防ぐ効果は高いが、着座している人が座部の下側に足を入れることができず、足を自由に動かすことができない。したがって、特許文献１〜３のこたつ用の椅子は、着座している人が座部から立ち上がる際に、立ち上がりにくく不便である。これに対して、こたつ用椅子１は、座部２の下側に足を入れるスペースがあるので、様々な方向から容易に立ち上がることができる。
【００２８】
なお、こたつのテーブルとは、例えば、ダイニングテーブルにこたつ用のヒーターユニットを設けたダイニングこたつでもよい。
【００２９】
また、特許文献１〜３の閉塞空間は、座部の下側でコの字状のシート状体で囲まれた空間である。これに対して、こたつ用椅子１の閉塞空間は、座部２の下側で中央近傍に設けられたシート状体４で囲まれた空間である。したがって、特許文献１〜３の閉塞空間と比較して、こたつ用椅子１の閉塞空間は狭い空間である。これにより、こたつ用椅子１は、特許文献１〜３に記載のこたつ用の椅子と比較して、こたつ内の暖気の外部への逃げを効率よく防ぐことができる。
【００３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００３１】
〔付記事項〕
以上のように、本発明の一態様に係るこたつ用椅子では、前記固定部材（例えば、固定部材５ｂ）は、前記座部の前面よりも後方の位置に設けられることがより好ましい。
【００３２】
また、本発明の一態様に係るこたつ用椅子では、前記座部は、複数の高さに調節可能であり、前記シート状体の長さは、前記座部が最も高い位置にある場合に、前記シート状体の一部が前記固定部材に固定可能なように調整されることがより好ましい。
【００３３】
また、本発明の一態様に係るこたつ用椅子では、左右の前記脚部の底部に、それぞれ設けられた複数のキャスタをさらに備え、前記キャスタは、人が当該こたつ用椅子に座っていない場合、当該キャスタの車輪が前記脚部の底部から出た状態になり、人が当該こたつ用椅子に座っている場合、当該キャスタの車輪が前記脚部の底部に入り込んだ状態になることがより好ましい。
【符号の説明】
【００３４】
１  こたつ用椅子
２  座部
３  脚部
４  シート状体
５、５ａ、５ｂ  固定部材
７  背もたれ部
８  キャスタ
３１  上部材
３２  下部材
３３  前部材
３４  後部材
【図１】
2019047926.tif 000003
【図２】
2019047926.tif 000004
【図３】
2019047926.tif 000005
【図４】
2019047926.tif 000006
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
座部と、
前記座部を支持する複数の脚部と、
シート状体と、
前記座部の下面側で左右の前記脚部間に横設された、前記シート状体の一端を固定する第１固定部材と、
左右の前記脚部の下部材間に横設された、前記シート状体の他端を固定する第２固定部材と、
を備え、
前記シート状体の他端は、前記第２固定部材と、前記座部の下面とに着脱可能であることを特徴とするこたつ用椅子。
【請求項２】
前記第２固定部材は、前記座部の前面よりも後方の位置に設けられ、
前記第１固定部材が左右の前記脚部の前部材間に固定され、前記第２固定部材は、前記シート状体が当該第１固定部材から略鉛直になるように当該シート状体の他端を固定することを特徴とする請求項１に記載のこたつ用椅子。
【請求項３】
前記シート状体の長さは、前記座部の下面の前後方向の長さ以内であることを特徴とする請求項１または２に記載のこたつ用椅子。
【請求項４】
前記座部は、複数の高さに調節可能であり、
前記シート状体の長さは、前記座部が最も高い位置にある場合に、前記シート状体の一部が前記第２固定部材に固定可能なように調整されることを特徴とする請求項１から３の何れか１項に記載のこたつ用椅子。
【請求項５】
左右の前記脚部の底部に、それぞれ設けられた複数のキャスタをさらに備え、
前記キャスタは、人が当該こたつ用椅子に座っていない場合、当該キャスタの車輪が前記脚部の底部から出た状態になり、人が当該こたつ用椅子に座っている場合、当該キャスタの車輪が前記脚部の底部に入り込んだ状態になることを特徴とする請求項１から４のいずれか１項に記載のこたつ用椅子。
【手続補正２】
【補正対象書類名】明細書
【補正対象項目名】００２５
【補正方法】変更
【補正の内容】
【００２５】
シート状体４は、座部２の裏面に着設されることにより、左右の脚部３間を開放する。したがって、シート状体４が座部２の裏面に着設したこたつ用椅子１を使用すれば、脚部３間の通気を確保することができる。そして、シート状体４は、脚部３の下部材３２よりも上方の位置に設けられることにより、座部２の下側に、着座している人が足を座部２の内側に向けて自由に動かすことができるスペースが存在する。これにより、こたつ用椅子１は、着座している人の立ち座りを容易にすることができる。